(57)【要約】【課題】所望の泡盛「瑞泉」等の商品名を入力することにより、泡盛「瑞泉」を飲ませる居酒屋や泡盛「瑞泉」を販売している酒屋等のサービスの場所を提示させることを可能にした新規の検索エンジンに係る多言語ピンポイント検索システムを提供することにある。【解決手段】多言語ピンポイント検索システムとして、検索エンジンにおける検索の対象を商品と該商品に係るサービスに限定したことを特徴とし、また、同義語の検索も行うことのできることを特徴とし、また、検索したい開始場所を入力することにより、前記サービスの場所を表示させることを特徴とし、多言語用辞書を持たせることにより、自国語で他国の商品と該商品に係るサービスの検索ができることを特徴とする。【選択図】　　　　図４
2004038509.tif 000002
【特許請求の範囲】
【請求項１】
検索エンジンにおける検索の対象を商品と該商品に係るサービスに限定したことを特徴とする多言語ピンポイント検索システム。
【請求項２】
同義語の検索も行うことのできることを特徴とする請求項１に記載の多言語ピンポイント検索システム。
【請求項３】
検索したい開始場所を入力することにより、前記サービスの場所を表示させることを特徴とする請求項１または請求項２に記載の多言語ピンポイント検索システム。
【請求項４】
多言語用辞書を持たせることにより、自国語で他国の商品と該商品に係るサービスの検索ができることを特徴とする請求項１ないし請求項３のいずれか１つの請求項に記載の多言語ピンポイント検索システム。
【発明の詳細な説明】
【０００１】
【発明の属する技術分野】
本発明は、多言語ピンポイント検索システムに係わり、Ｙａｈｏｏ（登録商標）、Ｇｏｏｇｌｅ（登録商標）、Ｇｏｏ（登録商標）、Ｌｙｃｏｓ（登録商標）等の既存の検索エンジンを改良した多言語ピンポイント検索システムに関する。
【０００２】
【従来の技術】
従来一般的に知られている検索エンジンは、世界中に広がっているホームページのデータ（ＨＴＭＬ形式）の文字データを定期的に収集し、それらを単語に分割してその単語のインデックスを生成し、単語の一部を検索したい文字列として入力することにより文字列の同一の文字列が存在するホームページを一瞬にして探し出すものである。
【０００３】
【発明が解決しようとする課題】
しかし、従来のホームページのデータはＨＴＭＬ形式で作成されているため、文字列に意味がある部分の区別をつけることができない。また検索しよとするととにかく文字列のあったものは全て検索して表示してしまう。
【０００４】
例えば、Ｙａｈｏｏ（登録商標）やＧｏｏｇｌｅ（登録商標）等の検索エンジンを利用して、泡盛「瑞泉」というお酒を販売している酒屋や場所を探したという目的で使用した場合、「「瑞泉」という泡盛を沖縄で飲んだ」と言うような日記風のホームページまでも検索してしまう。このような情報は、泡盛「瑞泉」というお酒を購入したいという目的のためには無駄な情報である。
【０００５】
本発明の目的は、上記の従来技術に係る検索エンジンの問題点に鑑みて、所望の泡盛「瑞泉」等の商品名を入力することにより、泡盛「瑞泉」を飲ませる居酒屋や泡盛「瑞泉」を販売している酒屋等のサービスの場所を提示させることを可能にした新規の検索エンジンに係る多言語ピンポイント検索システムを提供することにある。
【０００６】
【課題を解決するための手段】
本発明は、上記の課題を解決するために、次のような手段を採用した。
【０００７】
第１の手段は、多言語ピンポイント検索システムとして、検索エンジンにおける検索の対象を商品と該商品に係るサービスに限定したことを特徴とする。
【０００８】
第２の手段は、第１の手段において、同義語の検索も行うことのできることを特徴とする。
【０００９】
第３の手段は、第１の手段または第２の手段において、検索したい開始場所を入力することにより、前記サービスの場所を表示させることを特徴とする。
【００１０】
第４の手段は、第１の手段ないし第３の手段のいずれか１つの手段において、多言語用辞書を持たせることにより、自国語で他国の商品と該商品に係るサービスの検索ができることを特徴とする。
【００１１】
【発明の実施の形態】
本発明の一実施形態を図１ないし図６を用いて説明する。
【００１２】
図１は、泡盛「瑞泉」を一例とする本発明の多言語ピンポイント検索システムにおける商品とサービスの関係を示す図である。
【００１３】
本発明の多言語ピンポイント検索システムに登録されるホームページは、ＨＴＭＬでなく、ＸＭＬを使用し、商品またはサービスをカタログのような形で登録し、販売店や居酒屋の情報をそれぞれの情報をリンクで繋げる。
【００１４】
本発明の多言語ピンポイント検索システムが、商品とその商品のサービスに限定したのは、例えば、お酒の泡盛「瑞泉」についていえば、これを検索する目的の１つは、それを購入したい、または購入して自宅で自分で飲む、または友達に送るために、近所の酒屋の場所を探したいということであり、他の目的は、飲むために居酒屋を知りたいということであり、自分の場所から居酒屋までの場所を知りたいということにほぼ限定されることによるものである。
【００１５】
図２は、泡盛「瑞泉」を一例とする本発明の多言語ピンポイント検索システムの仕組みを説明するための図である。
【００１６】
製造メーカではどの商品を製造しているかの会社情報を登録する。これにより、商品名から製造メーカを探したり、製造メーカから商品を探すことが可能となる。具体的には、泡盛蔵元１では、泡盛１，泡盛２の商品情報を登録する。またこの商品情報には、当該商品を扱っている販売店の情報も登録されている。具体的には、泡盛蔵元１の商品情報である泡盛１には、泡盛１を販売している販売店１と販売店２の情報が登録されている。その結果、どの販売店がどの商品を扱っているかを製造メーカの商品を選択する（リンクを張る）ことにより、例えば、泡盛１を販売している販売店１や販売店２を知ることができる。また逆に、販売店の商品から泡盛の製造メーカを探し出すこともできる。
【００１７】
さらに、同図に示すように、泡盛の商品名から泡盛が販売されている販売店を地図に表示させることが可能である。
【００１８】
図３は、本発明の多言語ピンポイント検索システムの検索画面の一例を示す図である。
【００１９】
例えば、酒・飲料について、検索を開始したい場所として、緯度・経度または住所を入力し、検索を開始したい場所から所定の距離（例では３ｋｍ以内）を入力することにより、酒・飲料の販売店の一覧表を表示することができる。
【００２０】
図４は、製造メーカにおけるホームページ（カタログ）と商品のＸＭＬデータの構造を示す図である。
【００２１】
同図に示すように、ホームページ（カタログ）はデザインを表すＺｕｉｓｅｎ．ｃｓｓと商品のＸＭＬデータを表わすＺｕｉｓｅｎ．ｘｍｌからなる。
【００２２】
図５は、商品を絞り込むための仕組みを示す図である。
【００２３】
同図において、タグ用インデックスは、図４のＺｕｉｓｅｎ．ｘｍｌにおけるタグで囲まれた分類、種類、製造者・・・等から構成され、データ用インデックスは、図４のＺｕｉｓｅｎ．ｘｍｌのデータであるお酒、泡盛、瑞泉酒造・・・等から構成される。
【００２４】
ここで、検索画面から、例えば、分類としてお酒、種類として泡盛、製造者として瑞泉酒造を入力することにより、お酒、泡盛、瑞泉酒造からなる商品が絞り込まれて商品であるパス名／Ｚｕｉｓｅｎ．ｘｍｌが検索される。
【００２５】
図６は、多言語辞書を備えることによる本発明の多言語ピンポイント検索システムの構造を示す図である。
【００２６】
同図に示すように、日本語に対して他国語、例えば、日本語のお酒、泡盛、瑞泉に対して、英語、中国語、イタリア語等の多言語辞書を用意することにより、多言語での多言語ピンポイント検索システムを構築することができるる。
【００２７】
これによって、日本語圏以外の英語圏でも広く検索することができる。例えば、ある商品について言えば、近所で買えなくても通販で買えるのであれば買える場所が海外であっても欲しいというような場合、日本中だけでなく、英語圏でも探したい場合、英語入力することなく、日本語入力によって英語圏での買いたい場所を検索することができる。
【００２８】
【発明の効果】
請求項１に記載の発明によれば、検索エンジンにおける検索の対象を商品と該商品に係るサービスに限定したので、所望の商品名を入力することにより、その商品に係るサービスのみを表示させることができるので、無駄な情報が表示されることなく、必要な情報のみを迅速に表示させることが可能となる。
【００２９】
請求項２に記載の発明によれば、同義語の検索も行うことのできるので、同じ意味の用語についても広く検索することが可能となる。
【００３０】
請求項３に記載の発明によれば、検索したい開始場所を入力することにより、前記サービスの場所を表示させるので、検索開始場所を入力するだけで、サービスの一覧のみを検索して表示させることができる。
【００３１】
請求項４に記載の発明によれば、多言語用辞書を持たせることにより、自国語で他国の商品と該商品に係るサービスの検索ができるので、自国語と同様の感覚で他国の商品とその商品のサービスを検索表示させることができる。
【図面の簡単な説明】
【図１】泡盛「瑞泉」を一例とする本発明の多言語ピンポイント検索システムにおける商品とサービスの関係を示す図である。
【図２】泡盛「瑞泉」を一例とする本発明の多言語ピンポイント検索システムの仕組みを説明するための図である。
【図３】本発明の多言語ピンポイント検索システムの検索画面の一例を示す図である。
【図４】製造メーカにおけるホームページ（カタログ）と商品のＸＭＬデータの構造を示す図である。
【図５】商品を絞り込むための仕組みを示す図である。
【図６】多言語辞書を備えることによる本発明の多言語ピンポイント検索システムの構造を示す図である。
【図１】
2004038509.tif 000003
【図２】
2004038509.tif 000004
【図３】
2004038509.tif 000005
【図４】
2004038509.tif 000006
【図５】
2004038509.tif 000007
【図６】
2004038509.tif 000008